(57)【要約】【課題】パフォーマンスを多くの人に見てもらいたいと希望をかなえ、利用者が施設に支払う施設利用料金の負担を減少させること。【解決手段】施設利用料金管理装置は、演者の施設の利用時間を計測する利用時間計測部と、施設を利用した演者のパフォーマンスを撮影したライブ映像を、対価管理装置に送信するライブ映像管理部と、対価管理装置から送信される施設の利用料金を受信し、受信した利用料金を、利用時間計測部が計測した利用時間から算出される演者の施設利用金額に充当し、演者が施設に支払う金額を算出する施設利用料金管理部を有する。対価管理装置は、ライブ映像を受信し、ライブ映像の視聴を希望する端末に、ライブ映像を配信するライブ映像配信部と、端末からライブ映像に対して支払われた対価を受信し、受信した対価の合計額を算出し、対価の合計額を、演者の施設の利用料金に換算し、施設利用料金管理装置に送信する対価管理部を有する。【選択図】図１
2020154898.tif 000002
【特許請求の範囲】
【請求項１】
施設を利用した演者のパフォーマンスを撮影したライブ映像を受信し、前記ライブ映像の視聴を希望するユーザ端末に、前記ライブ映像を配信するライブ映像配信部と、
前記ユーザ端末から前記ライブ映像に対して支払われた対価を受信し、受信した対価の合計額を算出し、前記対価の合計額を、前記演者の前記施設の利用料金に換算する対価管理部と
を有する対価管理装置。
【請求項２】
前記対価管理部は、前記演者が視聴可能な表示部に前記演者が獲得した対価を表示するために、受信した対価とその対価を支払ったユーザを識別するユーザ識別情報とを逐次送信する
請求項１に記載の対価管理装置。
【請求項３】
前記ライブ映像配信部は、配信可能なライブ映像のライブ映像一覧を前記ユーザ端末が閲覧可能に公開し、前記ユーザ端末が前記ライブ映像一覧から選択したライブ映像を、前記ユーザ端末に送信する
請求項１又は請求項２に記載の対価管理装置。
【請求項４】
前記対価管理部は、換算した利用料金を、前記演者の前記施設の利用料金に充当し、前記演者が前記施設に支払う金額を算出する
請求項１から請求項３のいずれかに記載の対価管理装置。
【請求項５】
前記対価が、金銭に換金可能なポイントである
請求項１から請求項４のいずれかに記載の対価管理装置。
【請求項６】
前記ライブ映像を視聴したユーザに対して、ポイントを分配する分配部
を有する請求項１から請求項５のいずれかに記載の対価管理装置。
【請求項７】
施設の利用料金を管理する施設利用料金管理装置と、前記施設利用料金管理装置と通信可能な対価管理装置とを有し、
前記施設利用料金管理装置は、
演者の施設の利用時間を計測する利用時間計測部と、
前記施設を利用した前記演者のパフォーマンスを撮影したライブ映像を、前記対価管理装置に送信するライブ映像管理部と、
前記対価管理装置から送信される前記施設の利用料金を受信し、受信した利用料金を、前記利用時間計測部が計測した利用時間から算出される前記演者の施設利用金額に充当し、前記演者が前記施設に支払う金額を算出する施設利用料金管理部と
を有し、
前記対価管理装置は、
前記ライブ映像を受信し、前記ライブ映像の視聴を希望するユーザ端末に、前記ライブ映像を配信するライブ映像配信部と、
前記ユーザ端末から前記ライブ映像に対して支払われた対価を受信し、受信した対価の合計額を算出し、前記対価の合計額を、前記演者の前記施設の利用料金に換算し、前記施設利用料金管理装置に送信する対価管理部と
を有する施設利用料金管理システム。
【請求項８】
前記対価管理部は、ユーザ端末から受信した対価とその対価を支払ったユーザを識別するユーザ識別情報とを、前記施設利用料金管理装置に逐次送信し、
前記施設利用料金管理装置は、前記演者が視聴可能な表示部と、受信した対価とその対価を支払ったユーザを識別するユーザ識別情報とを、前記表示部に表示する表示制御部と
を有する
請求項７に記載の施設利用料金管理システム。
【請求項９】
前記表示制御部は、前記ライブ映像に、受信した対価とその対価を支払ったユーザを識別するユーザ識別情報とを重畳して、前記表示部に表示する
請求項８に記載の施設利用料金管理システム。
【請求項１０】
前記ライブ映像配信部は、配信可能なライブ映像のライブ映像一覧を前記ユーザ端末が閲覧可能に公開し、前記ユーザ端末が前記ライブ映像一覧から選択したライブ映像を、前記ユーザ端末に送信する
請求項７から請求項９のいずれかに記載の施設利用料金管理システム。
【請求項１１】
前記対価管理装置は、前記ライブ映像を視聴したユーザに対して、ポイントを分配する分配部を有する
請求項７から請求項１０のいずれかに記載の施設利用料金管理システム。
【請求項１２】
施設を利用した演者のパフォーマンスを撮影したライブ映像に対するユーザの対価を管理する対価管理装置と通信可能な施設利用料金管理装置であって、
前記演者の施設の利用時間を計測する利用時間計測部と、
前記施設を利用した前記演者のパフォーマンスを撮影したライブ映像を、前記対価管理装置に送信するライブ映像管理部と、
前記ライブ映像に対して支払われた対価から換算された利用料金を受信し、受信した利用料金を、前記利用時間計測部が計測した利用時間から算出される前記演者の施設利用金額に充当し、前記演者が前記施設に支払う金額を算出する施設利用料金管理部と
を有する施設利用料金管理装置。
【請求項１３】
施設に設置された第１のコンピュータは、演者の施設の利用時間を計測し、
前記第１のコンピュータは、前記施設を利用した前記演者のパフォーマンスを撮影したライブ映像を、前記施設コンピュータと通信可能な第２のコンピュータに送信し、
前記第２コンピュータは、前記ライブ映像を受信し、前記ライブ映像の視聴を希望するユーザ端末に、前記ライブ映像を配信し、
前記第２コンピュータは、前記ユーザ端末から前記ライブ映像に対して支払われた対価を受信し、受信した対価の合計額を算出し、前記対価の合計額を、前記演者の前記施設の利用料金に換算し、前記第１のコンピュータに送信し、
前記第１のコンピュータは、前記第２コンピュータから送信される前記施設の利用料金を受信し、受信した利用料金を、前記利用時間計測部が計測した利用時間から算出される前記演者の施設利用金額に充当し、前記演者が前記施設に支払う金額を算出する
施設利用料金管理方法。
【発明の詳細な説明】
【技術分野】
【０００１】
本発明は、対価管理装置、施設利用料金管理システム、施設利用料金管理装置及び施設利用料金管理方法に関する。
【背景技術】
【０００２】
インターネット等の通信技術の発展により、個人が公衆への表現の発表が容易となった。具体例として、自ら作成した動画などの映像を動画投稿サイトに投稿し、投稿した動画を不特定多数の利用者で共有して視聴できる動画共有サービスがある。このような動画共有サービスでは、投稿した映像が多くの人に視聴されることにより、投稿者は満足を得ることが出来る。
【０００３】
また、利用者の促進を図るため、カラオケの施設において、演者のカラオケ採点結果により飲食代を割り引く電子メニュー注文装置がある（特許文献１）。
【先行技術文献】
【特許文献】
【０００４】
【特許文献１】特開特開2009-086232号公報
【発明の概要】
【発明が解決しようとする課題】
【０００５】
上述したようなカラオケ等の施設では、利用者がその施設の利用料金を支払うことにより、その施設を利用することができる。しかし、施設の利用時間が増加すれば、施設に支払う利用料金も増加する。
【０００６】
一方、上述したようなカラオケ等の施設を利用して、利用者はパフォーマンスを行うことが出来、利用者の中にはそのパフォーマンスを多くの人に見てもらいたいと希望する者もいる。
【０００７】
そこで、本発明の目的は、施設を利用する利用者がそのパフォーマンスを多くの人に視聴してもらいたいとの希望をかなえつつ、利用者が施設に支払う施設利用料金の負担を減少させることができる対価管理装置、施設利用料金管理システム、施設利用料金管理装置及び施設利用料金管理方法を提供することにある。
【課題を解決するための手段】
【０００８】
本発明の一態様は、施設を利用した演者のパフォーマンスを撮影したライブ映像を受信し、前記ライブ映像の視聴を希望するユーザ端末に、前記ライブ映像を配信するライブ映像配信部と、前記ユーザ端末から前記ライブ映像に対して支払われた対価を受信し、受信した対価の合計額を算出し、前記対価の合計額を、前記演者の前記施設の利用料金に換算する対価管理部とを有する対価管理装置である。
【０００９】
本発明の一態様は、施設の利用料金を管理する施設利用料金管理装置と、前記施設利用料金管理装置と通信可能な対価管理装置とを有し、前記施設利用料金管理装置は、演者の施設の利用時間を計測する利用時間計測部と、前記施設を利用した前記演者のパフォーマンスを撮影したライブ映像を、前記対価管理装置に送信するライブ映像管理部と、前記対価管理装置から送信される前記施設の利用料金を受信し、受信した利用料金を、前記利用時間計測部が計測した利用時間から算出される前記演者の施設利用金額に充当し、前記演者が前記施設に支払う金額を算出する施設利用料金管理部とを有し、前記対価管理装置は、前記ライブ映像を受信し、前記ライブ映像の視聴を希望するユーザ端末に、前記ライブ映像を配信するライブ映像配信部と、前記ユーザ端末から前記ライブ映像に対して支払われた対価を受信し、受信した対価の合計額を算出し、前記対価の合計額を、前記演者の前記施設の利用料金に換算し、前記施設利用料金管理装置に送信する対価管理部とを有する施設利用料金管理システムである。
【００１０】
本発明の一態様は、施設を利用した演者のパフォーマンスを撮影したライブ映像に対するユーザの対価を管理する対価管理装置と通信可能な施設利用料金管理装置であって、前記演者の施設の利用時間を計測する利用時間計測部と、前記施設を利用した前記演者のパフォーマンスを撮影したライブ映像を、前記対価管理装置に送信するライブ映像管理部と、前記ライブ映像に対して支払われた対価から換算された利用料金を受信し、受信した利用料金を、前記利用時間計測部が計測した利用時間から算出される前記演者の施設利用金額に充当し、前記演者が前記施設に支払う金額を算出する施設利用料金管理部とを有する施設利用料金管理装置である。
【００１１】
本発明の一態様は、施設に設置された第１のコンピュータは、演者の施設の利用時間を計測し、前記第１のコンピュータは、前記施設を利用した前記演者のパフォーマンスを撮影したライブ映像を、前記施設コンピュータと通信可能な第２のコンピュータに送信し、前記第２コンピュータは、前記ライブ映像を受信し、前記ライブ映像の視聴を希望するユーザ端末に、前記ライブ映像を配信し、前記第２コンピュータは、前記ユーザ端末から前記ライブ映像に対して支払われた対価を受信し、受信した対価の合計額を算出し、前記対価の合計額を、前記演者の前記施設の利用料金に換算し、前記第１のコンピュータに送信し、前記第１のコンピュータは、前記第２コンピュータから送信される前記施設の利用料金を受信し、受信した利用料金を、前記利用時間計測部が計測した利用時間から算出される前記演者の施設利用金額に充当し、前記演者が前記施設に支払う金額を算出する施設利用料金管理方法である。
【発明の効果】
【００１２】
本発明は、施設を利用する利用者がそのパフォーマンスを多くの人に視聴してもらいたいとの希望をかなえ、利用者が施設に支払う施設利用料金の負担を減少させることができる。
【図面の簡単な説明】
【００１３】
【図１】図１は本発明の第１の実施の形態における施設利用料金管理システムの概略構成図である。
【図２】図２は施設管理装置１１のブロック図である。
【図３】図３はコンピュータシステム１２０によって構成された施設管理装置１１のブロック図である。
【図４】図４は対価管理装置２のブロック図である。
【図５】図５は施設管理データベース２４の一例を示した図である。
【図６】図６はライブ映像管理データベース２５の一例を示した図である。
【図７】図７は端末３に表示されるライブ映像配信一覧ウェブの一例である。
【図８】図８はユーザ情報データベース２６の一例を示した図である。
【図９】図９はコンピュータシステム２２０によって構成された対価管理装置２のブロック図である。
【図１０】図１０は各装置間のシーケンス図である。
【図１１】図１１は端末３に表示されるライブ映像の一例である。
【図１２】図１２は端末３のユーザが付与ポイントを入力した際の端末３の表示画面の一例である。
【図１３】図１３はポイント処理のフローチャートである。
【図１４】図１４は表示装置１２に表示画面の一例である。
【図１５】図１５は換算・配信終了処理のフローチャートである。
【図１６】図１６は第２の実施の形態の対価管理装置２のブロック図である。
【図１７】図１７は第２の実施の形態における各装置間のシーケンス図である。
【図１８】図１８はポイント分配部３０のフローチャートである。
【図１９】図１９は配信先の端末３に表示されるポイント分配の告知の一例である。
【発明を実施するための形態】
【００１４】
本発明の第１の実施の形態を説明する。
【００１５】
図１は本発明の第１の実施の形態における施設利用料金管理システムの概略構成図である。
【００１６】
図１中、１は施設であり、２は対価管理装置であり、３は複数の端末である。施設１の施設管理装置１１と、対価管理装置２と、複数の端末３とはネットワーク４を介して互いに通信可能である。
【００１７】
施設１は、施設の利用料金を支払うことにより、演者が施設内の設備を利用してパフォーマンスを行うことができる施設である。施設１の例としては、カラオケ、ゲームセンター等の遊戯施設や、コンサートホール、演劇場、スポーツ施設等である。尚、本実施の形態では、施設１をカラオケの施設に適用した場合の一例を説明する。
【００１８】
施設１内には、施設１におけるサービスの提供及び施設の利用料金を管理する施設管理装置１１と、ディスプレイ等の表示装置１２と、施設１内の演者Ａのパフォーマンスを撮影するカメラ１３とが設置されている。
【００１９】
本実施の形態における施設利用料金管理システムの概略を説明する。
【００２０】
まず、演者Ａは、所定の手続きを行って、施設１の利用を開始する。そして、施設１の施設管理装置１１は、演者Ａの施設１の利用時間のカウントを開始する。演者Ａは、施設１の設備を使用してパフォーマンスを行う。このとき、演者Ａのパフォーマンスはカメラ１３で撮影される。演者Ａのパフォーマンスのライブ映像は対価管理装置２を介して、視聴者Ｂ，Ｃ，Ｄの端末３に配信される。
【００２１】
視聴者Ｂ，Ｃ，Ｄは、端末３に表示された演者Ａのパフォーマンスのライブ映像を視聴する。各視聴者Ｂ，Ｃ，Ｄは、視聴の結果、演者Ａのパフォーマンスに対して対価を与えても良いと思うならば、各視聴者Ｂ，Ｃ，Ｄは、端末３により、そのパフォーマンスに対して与える対価を対価管理装置２に送信する。対価管理装置２は、端末３から受信した対価を、施設１の利用料金に換算し、その利用料金を演者Ａが獲得した獲得利用料金とする。そして、獲得利用料金に関する獲得利用料金情報を、施設管理装置１１に送信する。施設管理装置１１は、カウントした利用時間から算出される演者Ａの施設の利用料金から、対価管理装置２から受信した獲得利用料金情報で示される獲得利用料金を減算し、演者Ａが支払う施設１の利用料金を算出する。
【００２２】
演者Ａのパフォーマンスに対して与えられる対価は、金銭だけでなく、金銭に相当するポイント等も含む概念である。以下の説明では、演者Ａのパフォーマンスに対して与えられる対価が本サービスで利用可能なポイントであり、そのポイントは所定の換算率で金銭に換算できる例を説明する。
【００２３】
次に、本発明の実施の形態における施設利用料金管理システムの各部を、図面を参照しながら、詳細に説明する。
【００２４】
図２は、施設管理装置１１のブロック図である。
【００２５】
施設管理装置１１は、施設利用時間を計測する施設利用時間計測部１１１と、カメラ１３が撮影した演者Ａのパフォーマンスのライブ映像を管理するライブ映像管理部１１２と、表示部１２の表示を制御する表示制御部１１３と、施設利用料金を管理する施設利用料金管理部１１４と、各種データの送受信を行う送受信部１１５とを有する。
【００２６】
施設利用時間計測部１１１は、演者Ａの施設１の利用時間を計測する。
【００２７】
ライブ映像管理部１１２は、カメラ１３により撮影された演者Ａのパフォーマンスのライブ映像を対価管理装置２に、送受信部１１５を介して送信する。ライブ映像の送信に先立ち、演者Ａは自己のニックネーム、パフォーマンスの内容を表す題名を、ライブ映像管理部１１２に入力する。ライブ映像管理部１１２は、入力された演者Ａのニックネーム、パフォーマンスの内容を表す題名及び予め設定されている施設管理装置１１を識別する施設管理装置識別情報（施設ＩＤ）を、対価管理装置２に、送受信部１１５を介して送信する。
【００２８】
表示制御部１１３は、カメラ１３により撮影された演者Ａのパフォーマンスのライブ映像と、対価管理装置２から送信されてくる獲得ポイント数などを合成した画像を、表示装置１２に表示する。
【００２９】
施設利用料金管理部１１４は、施設利用時間計測部１１１が計測した演者Ａの利用時間から施設利用料金を算出する。そして、施設利用料金管理部１１４は、算出した施設利用料金から対価管理装置２から受信した獲得利用料金を減算し、演者Ａが支払う施設１の利用料金を算出する。
【００３０】
送信部１１５は、インターネット回線等の有線回線または無線回線を通じて、ライブ映像の送信、各種データの送受信を行う。
【００３１】
上述した施設管理装置１１は、具体的には、各種の演算処理等を行うプロセッサを有するコンピュータシステムによって実現することができる。図３はコンピュータシステム１２０によって構成された施設管理装置１１のブロック図である。
【００３２】
施設管理装置１１は、図３に示す如く、プロセッサ１２１、メモリ（ＲＯＭやＲＡＭ）１２２、記憶装置（ハードディスク、半導体ディスクなど）１２３、入力装置（キーボード、マウス、タッチパネルなど）１２４、通信装置１２５などのハードウェア資源を有する汎用のコンピュータ１２０により構成することができる。
【００３３】
施設管理装置１１は、記憶装置１２３に格納されたプログラムがメモリ１２２にロードされ、プロセッサ１２１により実行されることにより、施設利用時間計測処理と、ライブ映像管理処理と、表示制御処理と、施設利用料金管理処理と、送受信処理とが実現されるものである。ここで、施設利用時間計測処理は施設利用時間計測部１１１に対応し、ライブ映像管理処理はライブ映像管理部１１２に対応し、表示制御処理は表示制御部１１３に対応し、施設利用料金管理処理は施設利用料金管理部１１４に対応し、送受信処理は送受信部１１５に対応する。
【００３４】
対価管理装置２について説明する。図４は対価管理装置２のブロック図である。
【００３５】
対価管理装置２は、ライブ映像配信管理部２１と、ポイント管理部２２と、送受信部２３と、施設管理データベース２４と、ライブ映像管理データベース２５と、ユーザ情報データベース２６とを有する。
【００３６】
ライブ映像配信管理部２１は、施設管理データベース２４と、ライブ映像管理データベース２５と、ユーザ情報データベース２６とを用いて、施設管理装置１１から送信されるてくるライブ映像の配信の管理を行うものである。具体的には、ライブ映像配信管理部２１は、施設管理装置１１から送信されてくるライブ映像の配信リクエストを受信する。配信リクエストには、施設管理装置識別情報（施設ＩＤ）、演者Ａのニックネーム及びパフォーマンスの内容を表す題名が含まれている。ライブ映像配信管理部２１は、施設管理装置識別情報（施設ＩＤ）を、施設管理データベース２４を用いて照合する。
【００３７】
図５は、施設管理データベース２４の一例を示した図である。図５の例では、施設管理装置識別情報（施設ＩＤ）と後述するポイント換算率とが関連付けられて記憶されている。図５の例では、理解を容易にするために換算率を１としたが、これに限られることなく、２倍や０．５倍等の他の換算率でも良い。
【００３８】
ライブ映像配信管理部２１は、施設管理装置識別情報（施設ＩＤ）が施設管理データベース２４に登録されていれば、ライブ映像管理データベース２５に、施設管理装置識別情報（施設ＩＤ）、ライブ映像識別情報（ライブ映像ＩＤ）、演者Ａのニックネーム及びパフォーマンスの内容を表す題名を登録する。
【００３９】
図６は、ライブ映像管理データベース２５の一例を示した図である。図６の例では、施設管理装置識別情報（施設ＩＤ）と、ライブ映像識別情報（ライブ映像ＩＤ）と、演者Ａのニックネームと、パフォーマンスの内容を表す題名、配信する端末３の配信先と、後述する獲得ポイント及び合計獲得ポイントとが関連付けられて記憶されている。
【００４０】
更に、ライブ映像配信管理部２１は、ライブ映像管理データベース２５に登録された演者のニックネーム及びパフォーマンスの内容の一覧を、視聴者の端末３から閲覧できるように、演者のニックネーム及びパフォーマンスの内容の一覧が記載されたライブ映像配信一覧ウェブを公開する。図７は端末３に表示されるライブ映像配信一覧ウェブの一例である。図７の例では、配信者のニックネームと、ライブ映像の題名と、ライブ映像のサムネイル画像とがレコード毎に並べられ、現在配信中のライブ映像の一覧が表示されている。
【００４１】
ライブ映像配信管理部２１は、ライブ映像配信一覧ウェブを閲覧した端末３からライブ映像の配信リクエストに応答して、その端末３にリクエストされたライブ映像を配信する。
【００４２】
ポイント管理部２２は、ユーザ情報データベース２６を用いて、ライブ映像に対する付与するポイントを管理する。
【００４３】
図８は、ユーザ情報データベース２６の一例を示した図である。図８の例では、ユーザ識別情報（ユーザＩＤ）と、ユーザの氏名と、ユーザの性別と、ユーザの住所と、ユーザの所有ポイントとが関連付けられて記憶されている。ユーザのユーザ情報データベース２６への登録は、ユーザが本サービスへの会員登録を行うことにより登録される。また、各ユーザの保有ポイントは、ユーザが金銭を支払うことにより購入したポイント、又は、他のサービスを利用することにより獲得したポイントである。
【００４４】
ポイント管理部２２は、端末３からのライブ映像に対するポイント付与のリクエストに応答し、ユーザ情報データベース２６を用いて、リクエストした端末３のユーザ識別情報（ユーザＩＤ）を照合する。ユーザ識別情報（ユーザＩＤ）がユーザ情報データベース２６に登録されていれば、ライブ映像に対する付与ポイント数とユーザ情報データベース２６に登録されているそのユーザの保有ポイント数とを照合する。ポイント付与数がユーザの保有ポイント数以下であるならば、ライブ映像管理データベース２５におけるポイント付与の対象となるライブ映像のレコードの獲得ポイントのフィールドに、ユーザ識別情報（ユーザＩＤ）ともに付与ポイント数を記録していく。そして、合計獲得ポイント数のフィールドの合計獲得ポイント数を更新する。
【００４５】
更に、ポイント管理部２２は、ライブ映像の配信が終了すると、施設管理データベース２４の換算率を用いて、ライブ映像管理データベース２５におけるそのライブ映像のレコードの合計獲得ポイント数を施設利用料金に換算する。そして、換算した施設利用料金を、演者Ａが獲得した獲得利用料金とする。そして、獲得利用料金に関する獲得利用料金情報を、施設管理装置１１に送信する。
【００４６】
送信部２３は、インターネット回線等の有線回線または無線回線を通じて、ライブ映像、各種データの送受信を行う。
【００４７】
上述した対価管理装置２は、具体的には、各種の演算処理等を行うプロセッサを有するコンピュータシステムによって実現することができる。図９はコンピュータシステム２２０によって構成された対価管理装置２のブロック図である。
【００４８】
対価管理装置２は、図９に示す如く、プロセッサ２２１、メモリ（ＲＯＭやＲＡＭ）２２２、記憶装置（ハードディスク、半導体ディスクなど）２２３、入力装置（キーボード、マウス、タッチパネルなど）２２４、通信装置２２５などのハードウェア資源を有する汎用のコンピュータ２２０により構成することができる。
【００４９】
対価管理装置２は、記憶装置２２３に格納されたプログラムがメモリ２２２にロードされ、プロセッサ２２１により実行されることにより、ライブ映像配信管理処理と、ポイント管理処理と、送受信処理とが実現されるものである。ここで、ライブ映像配信管理処理はライブ映像配信管理部２１に対応し、ポイント管理処理はポイント管理部２２に対応し、送受信処理は送受信部２３に対応する。
【００５０】
尚、施設管理データベース２４と、ライブ映像管理データベース２５と、ユーザ情報データベース２６とは、対価管理装置２(コンピュータシステム２２０)が備えていても良いが、対価管理装置２(コンピュータシステム２２０)と物理的に外部に設けられ、ＬＡＮ等のネットワークを介して対価管理装置２(コンピュータシステム２２０)と接続されていても良い。また、施設管理データベース２４と、ライブ映像管理データベース２５と、ユーザ情報データベース２６との一部又は全部は、一体に構成されていても良い。
【００５１】
端末３は、スマートフォンやパーソナルコンピュータ等のユーザ端末であり、ブラウザの機能を有する。
【００５２】
次に、上述した構成における動作を、具体例を用いて説明する。
【００５３】
以下の説明において、施設１の施設管理装置識別情報（施設ＩＤ）と、ポイント換算率とは、図５の施設管理データベース２４に示されるものとする。また、ユーザは、サービスの利用するための初期登録は済んでおり、ユーザ情報データベース２６には、図８に示す如く、ユーザ登録の際に付与したユーザのユーザ識別情報（ユーザＩＤ）、保有ポイント数等が記録されているものとする。
【００５４】
図１０は各装置間のシーケンス図である。
【００５５】
演者１は、施設１に入場し、施設内の設備の利用を開始する。すると、施設管理装置１１の施設利用時間計測部１１１は、演者１の施設利用時間のカウントを開始する（Ｓｔｅｐ１）。次に、演者Ａは、演者Ａのパフォーマンスのライブ映像を配信するために、ライブ映像配信の要求を、施設管理装置１１に入力する。その際、演者Ａは自己のニックネーム、パフォーマンスの内容を表す題名を、ライブ映像管理部１１２に入力する。ライブ映像管理部１１２は、入力された演者Ａのニックネーム、パフォーマンスの内容を表す題名及び予め設定されている施設管理装置１１を識別する施設管理装置識別情報（施設ＩＤ）を、ライブ映像配信要求として、対価管理装置２に、送受信部１１５を介して送信する（Ｓｔｅｐ２）。例えば、ライブ映像配信要求に含まれる情報の一例としては、演者Ａのニックネーム“ＡＡＡ”、題名“ＸＸＸ”、施設１の施設ＩＤ“１１１１１”である。
【００５６】
対価管理装置２は、ライブ映像配信要求を受信する。そして、対価管理装置２のライブ映像配信管理部２１は、ライブ映像配信要求に含まれている施設管理装置識別情報（施設ＩＤ）を、施設管理データベース２４を用いて照合する（Ｓｔｅｐ３）。ライブ映像配信管理部２１は、施設管理装置識別情報（施設ＩＤ）が施設管理データベース２４に登録されていれば、ライブ映像を識別するライブ映像識別情報（ライブ映像識ＩＤ）を発行し、ライブ映像管理データベース２５に、施設管理装置識別情報（施設ＩＤ）、ライブ映像識別情報（ライブ映像識ＩＤ）、演者Ａのニックネーム及びパフォーマンスの内容を表す題名を登録する（Ｓｔｅｐ４）。例えば、受信したライブ映像配信要求に含まれている演者Ａのニックネーム“ＡＡＡ”、題名“ＸＸＸ”及び施設１の施設ＩＤ“１１１１１”と、発行したライブ映像識別情報（ライブ映像識ＩＤ）“映像ａａａ”を、ライブ映像管理データベース２５に登録する。そして、ライブ映像配信管理部２１は、ライブ映像配信許可を、施設管理装置１１に送信する（Ｓｔｅｐ５）。
【００５７】
更に、ライブ映像配信管理部２１は、ライブ映像管理データベース２５に登録された演者Ａのニックネーム及びパフォーマンスの内容を、視聴者の端末３から閲覧できるように、ライブ映像配信一覧ウェブとして公開する（Ｓｔｅｐ６）。ライブ映像配信一覧ウェブの一例は、図７に示した通りである。
【００５８】
一方、ライブ映像配信管理部２１は、施設管理装置識別情報（施設ＩＤ）が施設管理データベース２４に登録されていない場合は、処理を終了する。
【００５９】
施設管理装置１１のライブ映像管理部１１２は、ライブ映像配信許可を受信すると、カメラ１３により演者Ａのパフォーマンスの撮影を開始する（Ｓｔｅｐ７）。ライブ映像管理部１１２は、撮影したライブ映像を対価管理装置２に、送受信部１１５を介して送信する（Ｓｔｅｐ８）。
【００６０】
対価管理装置２のライブ映像配信管理部２１は、ライブ映像を受信する（Ｓｔｅｐ９）。
【００６１】
一方、端末３は、ライブ映像配信一覧ウェブを閲覧することにより、興味のあるライブ映像を選択することができる（Ｓｔｅｐ１０）。ここでは、ユーザは、図７に示したライブ映像配信一覧ウェブからニックネーム“ＡＡＡ”、題名“ＸＸＸ”のライブ映像を選択したものとする。例えば、ライブ映像配信一覧ウェブのニックネーム“ＡＡＡ”、題名“ＸＸＸ”のライブ映像をタッチする等である。端末３は、選択したライブ映像の配信を要求する（Ｓｔｅｐ１１）。配信要求には、選択したライブ映像のライブ映像ＩＤと、端末３のユーザＩＤとが含まれている。
【００６２】
対価管理装置２は、端末３から、ライブ映像の配信要求を受信する。そして、配信要求に含まれているユーザＩＤを、ユーザ情報データベース２６から検索し、ライブ映像の配信要求したユーザがサービス会員であるかを照合する（Ｓｔｅｐ１２）。照合の結果、ユーザがサービス会員である場合、ライブ映像管理データベース２５の配信先にユーザＩＤを登録する。そして、要求されたライブ映像を端末３に配信する（Ｓｔｅｐ１３）。その際、ユーザ情報データベース２６から得られたユーザＩＤに関連付けられている保有ポイント数と、ライブ映像管理データベース２５から得られたライブ映像に対して獲得されたポイント数とを、端末３に送信する。
【００６３】
端末３は、ライブ映像を受信し、ライブ映像を表示する（Ｓｔｅｐ１４）。図１１は端末３に表示されるライブ映像の一例である。図１１の例は、ユーザＩＤ“ＡＢＣ”（視聴者Ｂ）の端末３に表示されるライブ映像であり、演者Ａのパフォーマンス（カラオケ）の映像と、演者Ａが獲得したポイント数、演者Ａのパフォーマンスに対して付与するポイント数を入力する付与ポイントボックスと、ポイント付与を承認するボタンと、端末３のユーザ（視聴者Ｂ）が現在保有しているポイント数とが表示されている。
【００６４】
端末３のユーザ（視聴者Ｂ）は、ライブ映像を視聴し、ポイントを演者Ａに与えても良いと考えるならば、演者Ａのパフォーマンスに対して付与するポイント数を付与ポイントボックスに入力する（Ｓｔｅｐ１５）。図１２は、端末３のユーザ（視聴者Ｂ）が付与ポイントを入力した際の端末３の表示画面の一例である。図１２の例では、端末３のユーザが演者Ａのパフォーマンスに対して１００ポイントを付与する例を示しており、そのタイミングで、演者Ａが２５０ポイントを獲得していることも表示されている。そして、端末３は、ユーザＩＤ及び付与ポイント数を、対価管理装置２に送信する（Ｓｔｅｐ１６）。
【００６５】
対価管理装置２のポイント管理部２２は、端末３から、ユーザＩＤ及び付与ポイント数を受信し、ポイント換算処理を実行する（Ｓｔｅｐ１７）。
【００６６】
図１３はポイント処理のフローチャートである。
【００６７】
まず、ポイント管理部２２は、受信したユーザＩＤを、ユーザ情報データベース２６から検索する（Ｓｔｅｐ１００）。検索したユーザＩＤに関連付けられている保有ポイント数を取得する（Ｓｔｅｐ１０１）。
【００６８】
受信した付与ポイント数が取得した保有ポイント数を越えるならば（Ｓｔｅｐ１０２）、保有ポイント数が不足している旨を、ユーザ端末３に通知し（Ｓｔｅｐ１０３）、処理を終了する。
【００６９】
一方、受信した付与ポイント数が取得した保有ポイント数以下ならば、ライブ映像管理データペース２５の獲得ポイントのフィールドに、ユーザＩＤとともに付与ポイント数を書き込む（Ｓｔｅｐ１０４）。そして、ユーザ情報データベース２６のユーザＩＤの保有ポイント数から、付与ポイント数を減算する（Ｓｔｅｐ１０５）。
【００７０】
次に、ライブ映像管理データペース２５の獲得ポイントのフィールドに記録されている付与ポイント数を合計し、ライブ映像管理データペース２５の合計獲得ポイント数を更新する（Ｓｔｅｐ１０６）。
【００７１】
新たにユーザが付与した付与ポイント数及びそのユーザのユーザＩＤと、現在獲得している合計獲得ポイント数とを、施設管理装置１１に送信する（Ｓｔｅｐ１０７）。
【００７２】
以上のポイント処理を、ポイントが付与される毎に逐次行う。
【００７３】
図１０の各装置間のシーケンス図の説明に戻る。
【００７４】
施設管理装置１１の表示制御部１１３は、カメラ１３により撮影された演者Ａのパフォーマンスのライブ映像と、対価管理装置２から送信されてくるポイント数を合成した画像を、表示装置１２に表示する（Ｓｔｅｐ１８）。図１４は表示装置１２に表示画面の一例である。図１４の例は、演者Ａのパフォーマンスのライブ映像に、現在獲得している合計獲得ポイント数と、新たにポイントを付与したユーザのユーザＩＤ及びその付与したポイント数とが重畳された画像である。
【００７５】
演者Ａのパフォーマンスが終了し、ライブ映像の撮影が終了すると、施設管理装置１１のライブ映像管理部１１２は、ライブ映像の配信終了を要求する（Ｓｔｅｐ１９）。
【００７６】
ライブ映像の配信終了の要求を受信した対価管理装置２は、換算・配信終了処理を行う（Ｓｔｅｐ２０）。
【００７７】
図１５は換算・配信終了処理のフローチャートである。
【００７８】
まず、ポイント管理部２２は、ライブ映像管理データベース２６から、ライブ映像の配信終了を要求した施設ＩＤの合計獲得ポイント数を取得する（Ｓｔｅｐ２００）。
【００７９】
ポイント管理部２２は、施設管理データベース２４から、ライブ映像の配信終了を要求した施設ＩＤの換算率を取得する（Ｓｔｅｐ２０１）。
【００８０】
ポイント管理部２２は、取得した合計獲得ポイント数に取得した換算率を乗算し、獲得施設利用料金を算出する（Ｓｔｅｐ２０２）。そして、獲得施設利用料金を施設管理装置１１に送信する（Ｓｔｅｐ２０３）。
【００８１】
次に、ライブ映像配信管理部２１は、ライブ映像の配信終了を要求した施設ＩＤのレコードを、ライブ映像管理データベース２５から削除する（Ｓｔｅｐ２０４）。
【００８２】
また、ライブ映像管理データベース２５から削除したレコードに対応するライブ映像の情報を、ライブ映像配信一覧ウェブから削除する（Ｓｔｅｐ２０５）。
【００８３】
以上で、換算・配信終了処理を終了する。
【００８４】
図１０の各装置間のシーケンス図の説明に戻る。
【００８５】
演者Ａの施設の利用が終了すると、施設管理装置１１の施設利用時間計測部１１１は計測を止め、演者Ａの施設１の利用時間を算出する（Ｓｔｅｐ２１）。
【００８６】
施設管理装置１１の施設利用料金管理部１１４は、施設利用時間計測部１１１が計測した演者Ａの利用時間から施設利用料金を算出する。そして、施設利用料金管理部１１４は、算出した施設利用料金から対価管理装置２から受信した獲得利用料金を減算し、演者Ａが支払う施設１の利用料金を算出する（Ｓｔｅｐ２２）。
【００８７】
以上で、各装置の動作の説明を終了する。
【００８８】
尚、本実施の形態では、施設管理装置１１が演者の支払う施設１の利用料金を算出した。しかし、対価管理装置２が、施設管理装置１１から演者の施設利用料金を取得し、施設利用料金から獲得施設利用料金を減算し、演者に支払う施設１の利用料金を算出するようにしても良い。
【００８９】
本実施の形態によれば、演者はパフォーマンスを多くの人に見てもらいたいと希望をかなえることができるとともに、演者（利用者）が施設に支払う施設利用料金の負担を減らすことができる。更に、演者が利用する施設側も利用料金の増加が見込める。
【００９０】
次に、第２の実施の形態を説明する。
【００９１】
第２の実施の形態は、第１の実施の形態に加えて、演者のみならず、その演者を視聴している視聴者間でポイント等の代価の移動ができる機能を追加したものである。この機能は、例えば、演者Ａのパフォーマンスを視聴している視聴者Ｂ，Ｃ，Ｄのうち視聴者Ｂが演者Ａのパフォーマンスを視聴してくれた御礼として他の視聴者Ｃ，Ｄに、本サービスで使用できるポイントを分配する機能である。
【００９２】
図１６は第２の実施の形態の対価管理装置２のブロック図である。第２の実施の形態の対価管理装置２は、第１の実施の形態の構成に加えて、ポイント分配部３０を備える。ポイント分配部３０は、演者のパフォーマンスを視聴していた視聴者間のポイント分配を管理する部である。尚、対価管理装置２は、第１の実施の形態と同様に、各種の演算処理等を行うプロセッサを有するコンピュータシステムによって実現することができる。
【００９３】
第２の実施の形態の動作を説明する。尚、第２の実施の形態の動作のうち、第１の実施の形態の動作と共通する部分については詳細な説明を省略する。
【００９４】
図１７は第２の実施の形態における各装置間のシーケンス図である。
【００９５】
演者Ａのパフォーマンスが終了し、ライブ映像の撮影が終了すると、施設管理装置１１のライブ映像管理部１１２は、ライブ映像の配信終了を要求する（Ｓｔｅｐ１９）。そして、ライブ映像の配信終了の要求を受信した対価管理装置２は、換算・配信終了処理を行う（Ｓｔｅｐ２０）。ここまでの処理は、第１の実施の形態の動作と同様である。尚、図１５の換算・配信終了処理のフローチャートにおけるＳｔｅｐ２０４及びＳｔｅｐ２０５は、換算・配信終了処理では行われず、後述するポイント分配処理で行われる。
【００９６】
対価管理装置２のポイント分配部３０は、ライブ映像の配信終了の要求を受信すると、ポイント分配処理を行う（Ｓｔｅｐ３０）。図１８はポイント分配部３０のフローチャートである。
【００９７】
まず、ポイント分配部３０は、ライブ映像管理データベース２５における配信終了要求を行ったライブ映像の配信先フィールドに記載されている配信先（全視聴者）の数を取得する（Ｓｔｅｐ３００）。
【００９８】
ポイント分配部３０は、ライブ映像管理データベース２５における配信終了要求を行ったライブ映像の獲得ポイントフィールドに記載されているユーザＩＤ（ポイントを付与した視聴者）の数を取得する（Ｓｔｅｐ３０１）。
【００９９】
ポイント分配部３０は、演者Ａのパフォーマンスの視聴者の数と、演者Ａのパフォーマンスに対してポイントを付与した視聴者の数と、ポイントを付与するための表示情報を含むポイント分配提示画面情報を、演者Ａのパフォーマンスを視聴した視聴者全員に送信する（Ｓｔｅｐ３０２）。
【０１００】
端末３では、ポイント分配提示画面情報を受信し、ポイント分配提示画面を表示する（図１７のＳｔｅｐ３１）。図１９は配信先の端末３に表示されるポイント分配の告知の一例である。図１９の例では、演者Ａのパフォーマンスの視聴者の数（１０人）と、演者Ａのパフォーマンスに対してポイントを付与した人数（応援してくれた人：３人）と、演者Ａのパフォーマンスの視聴者全員に付与するポイント数を入力する付与ポイントボックスと、演者Ａのパフォーマンスに対してポイントを付与した人のみに付与するポイント数を入力する付与ポイントボックスと、ポイント付与を承認する承認ボタンと、端末３のユーザ（視聴者Ｂ）が現在保有しているポイント数とが表示されている。
【０１０１】
ここで、端末３のユーザは、ポイントを付与する場合には、演者Ａのパフォーマンスを視聴した全員にポイントを付与するのか、演者Ａのパフォーマンスに対してポイントを付与した視聴者のみにポイントを付与するのかを選択し、選択したボックスに付与するポイント（感謝ポイントと記載する）を入力し、承認ボタンを押下する。そして、端末３は、ポイント分配要求情報を対価管理装置２に送信する（図１７のＳｔｅｐ３２）。
【０１０２】
対価管理装置２のポイント分配部３０は、感謝ポイント分配要求情報を受信した場合（Ｓｔｅｐ３０３）、全視聴者に対するポイントの分配かを判定する（Ｓｔｅｐ３０４）。全視聴者に対するポイントの分配である場合には、ポイントを付与するユーザを除く（全視聴者数−１）で、感謝ポイントを分配し、各視聴者に与えられるポイントを算出する。一方、演者Ａのパフォーマンスに対してポイントを付与した視聴者のみにポイントを分配する場合は（Ｓｔｅｐ３０４）、ポイントを付与するユーザを除く（ポイント付与視聴者数−１）で、感謝ポイントを分配し、ポイントを付与した各視聴者に与えられる分配ポイントを算出する。
【０１０３】
ポイント分配部３０は、付与対象となる視聴者のユーザ情報データベース２６の保有ポイント数に、算出された分配ポイント数を加算して更新する（Ｓｔｅｐ３０７）。
【０１０４】
次に、ライブ映像配信管理部２１は、ライブ映像の配信終了を要求した施設ＩＤのレコードを、ライブ映像管理データベース２５から削除する（Ｓｔｅｐ３０８）。
【０１０５】
また、ライブ映像管理データベース２５から削除したレコードに対応するライブ映像の情報を、ライブ映像配信一覧ウェブから削除する（Ｓｔｅｐ３０９）。
【０１０６】
以上で、第２の実施の形態の動作の説明を終わる。
【０１０７】
第２の実施の形態は、演者を応援する視聴者が、その演者のパフォーマンスを視聴してくれた視聴者に対するお礼を、ポイント付与という形で行うことができる。
【０１０８】
尚、上述した例では、応援お礼のポイントの付与先を、全視聴者又はポイントを付与した視聴者のいずれかを選択できるようにしたが、これらの一方のみの構成とすることもできる。
【０１０９】
以上好ましい実施の形態をあげて本発明を説明したが、全ての実施の形態の構成を備える必要はなく、適時組合せて実施することができるばかりでなく、本発明は必ずしも上記実施の形態に限定されるものではなく、その技術的思想の範囲内において様々に変形し実施することが出来る。
【符号の説明】
【０１１０】
１      施設
２      対価管理装置
３      端末
４      ネットヨーク
１１    施設管理装置
１２    表示装置
１３    カメラ
２１    ライブ映像配信管理部
２２    ポイント管理部
２３    送受信部
２４    施設管理データベース
２５    ユーザ情報データベース
２６    ライブ映像管理データベース
３０    ポイント分配部
１１１  施設利用時間計測部
１１２  ライブ映像管理部
１１３  表示制御部
１１４  施設利用料金管理部
１１５  送受信部
【図１】
2020154898.tif 000003
【図２】
2020154898.tif 000004
【図３】
2020154898.tif 000005
【図４】
2020154898.tif 000006
【図５】
2020154898.tif 000007
【図６】
2020154898.tif 000008
【図７】
2020154898.tif 000009
【図８】
2020154898.tif 000010
【図９】
2020154898.tif 000011
【図１０】
2020154898.tif 000012
【図１１】
2020154898.tif 000013
【図１２】
2020154898.tif 000014
【図１３】
2020154898.tif 000015
【図１４】
2020154898.tif 000016
【図１５】
2020154898.tif 000017
【図１６】
2020154898.tif 000018
【図１７】
2020154898.tif 000019
【図１８】
2020154898.tif 000020
【図１９】
2020154898.tif 000021